(57)【特許請求の範囲】
【請求項１】
搾り箱を含み、前記搾り箱の中には上方に開口した入口が設けられ、前記入口の底壁には殻除去空間が連通するように設けられ、前記殻除去空間の中には茶の種子の殻を取り除ける殻除去機構が設けられ、前記殻除去空間の底壁には粉砕空間が連通するように設けられ、前記粉砕空間の中には茶の種子を粉砕できる粉砕機構が設けられ、前記粉砕空間の底壁には攪拌空間が連通するように設けられ、前記攪拌空間の中には粉砕後の茶の種子を攪拌できる攪拌機構が設けられ、前記殻除去機構の右側には動力機構が設けられ、前記動力機構が前記粉砕機構と前記攪拌機構とに動力を提供し、前記攪拌空間の左右両側には移動空間が連通するように設けられ、前記移動空間の中には加熱部品がスライドできるように取り付けられ、前記移動空間の後ろ側にはねじ山空間が連通するように設けられ、前記ねじ山空間の中にはねじ山ブロックがスライドできるように取り付けられ、左右両側の前記ねじ山ブロックのねじ山の方向は逆であり、前記ねじ山ブロックが前記加熱部品と固定的に連結され、前記攪拌空間の底壁には管路空間が連通するように設けられ、前記管路空間の底壁には矩形空間が連通するように設けられ、前記矩形空間の中には矩形板がスライドできるように取り付けられ、前記矩形板の頂面には矩形箱が固定的に取り付けられ、前記攪拌空間の底壁には連結管が固定的に取り付けられ、前記矩形箱の中には上方に開口した搾り空間が設けられ、前記矩形板と前記加熱部品との間には回転機構が設けられ、前記矩形板が押し動かされて左方へ移動する時、前記矩形板が前記回転機構によって左右両側の前記加熱部品を互いから離れさせ、前記攪拌空間の中の茶の種子が前記連結管から前記搾り空間の中に入り、前記連結管が長いので、茶の種子が前記搾り空間の中に入れるようにしていることを特徴とする脱臭されて渋みの取れた茶の種子から油を抽出する設備。
【請求項２】
前記殻除去機構は前記殻除去空間の前後内壁の間に回転できるように取り付けられた中間ロッドを含み、前記中間ロッドには長板が固定的に取り付けられ、前記長板の中には抜き穴が設けられ、前記殻除去空間の左側内壁にはばね空間が連通するように設けられ、前記ばね空間が前記搾り箱の左側面を貫通しており、前記長板の底面と前記ばね空間の底壁との間には第一ばねが固定的に取り付けられ、前記殻除去空間の右側内壁には偏心輪空間が連通するように設けられ、前記偏心輪空間の頂壁にはスライド空間が連通するように設けられ、前記スライド空間の中にはスライドブロックがスライドできるように取り付けられ、前記スライドブロックが前記長板と当接しており、前記スライドブロックの頂面と前記スライド空間の頂壁との間には第二ばねが固定的に取り付けられ、前記搾り箱の左側面には固定箱が固定的に取り付けられていることを特徴とする請求項１に記載の脱臭されて渋みの取れた茶の種子から油を抽出する設備。
【請求項３】
前記動力機構は前記偏心輪空間の右側に設置されたモーター空間を含み、前記モーター空間の右側内壁の中にはモーターが固定的に取り付けられ、前記モーターにおいて左向きの出力軸の左側面にはモーターロッドが固定的に取り付けられ、前記モーターロッドが左方へ延びて前記偏心輪空間の右側内壁を貫通しており、前記モーターロッドの左側面には偏心輪が固定的に取り付けられ、前記偏心輪が前記長板と当接していることを特徴とする請求項１に記載の脱臭されて渋みの取れた茶の種子から油を抽出する設備。
【請求項４】
前記粉砕機構は前記粉砕空間の左側に設置された噛合空間を含み、前記粉砕空間の右側内壁には前記噛合空間の右側内壁を貫通した長ロッドが回転できるように取り付けられ、前記モーター空間と前記噛合空間との間には回転ロッドが回転できるように取り付けられ、前記回転ロッドと前記長ロッドとにおいて前記粉砕空間の中には粉砕輪が固定的に取り付けられ、前記粉砕輪の右側面には第一歯車が固定的に取り付けられ、前記モーターロッドにおいて前記モーター空間の中には第二歯車が固定的に取り付けられ、前記第二歯車と前記第一歯車との間にはチェーンが伝動できるように取り付けられ、前記回転ロッドと前記長ロッドにおいて前記噛合空間の中には互いに噛合した第三歯車が固定的に取り付けられていることを特徴とする請求項１に記載の脱臭されて渋みの取れた茶の種子から油を抽出する設備。
【請求項５】
前記攪拌機構は前記噛合空間の左側に設置された歯車空間を含み、前記回転ロッドが左方へ延びて前記噛合空間の右側内壁を貫通しており、前記回転ロッドの左側面には第一傘歯車が固定的に取り付けられ、前記歯車空間と前記攪拌空間との間には細ロッドが回転できるように取り付けられ、前記細ロッドの頂面には第二傘歯車が固定的に取り付けられ、前記第二傘歯車が前記第一傘歯車と噛み合っており、前記細ロッドにおいて前記攪拌空間の中には攪拌ロッドが固定的に取り付けられていることを特徴とする請求項１に記載の脱臭されて渋みの取れた茶の種子から油を抽出する設備。
【請求項６】
前記回転機構は前記矩形空間の後ろ側内壁に連通するように設けられた補助空間を含み、前記補助空間の上方には中間空間が設けられ、前記中間空間と前記補助空間との間には補助ロッドが回転できるように取り付けられ、前記補助ロッドの底面には第四歯車が固定的に取り付けられ、前記第四歯車が前記矩形板と噛合しており、前記補助ロッドの頂面には第三傘歯車が固定的に取り付けられ、前記ねじ山空間の左側内壁には前記中間空間の左側内壁を貫通したねじボルトが回転できるように取り付けられ、前記ねじボルトの右側面には第四傘歯車が固定的に取り付けられ、前記第三傘歯車が前記第四傘歯車と噛合していることを特徴とする請求項１に記載の脱臭されて渋みの取れた茶の種子から油を抽出する設備。
【請求項７】
前記管路空間の頂壁の中には液圧弁が固定的に取り付けられ、前記液圧弁の底面には液圧ロッドが固定的に取り付けられ、前記液圧ロッドの底面には液圧板が固定的に取り付けられ、前記液圧板の長さが前記搾り空間の長さと同じであり、前記搾り空間の底壁には濾過網が固定的に取り付けられ、前記矩形板の中には前記搾り空間と連通している空き空間が設けられ、前記矩形空間の底壁には前記搾り空間の底面を貫通した連結空間が設けられ、前記連結空間は前記空き空間と連通でき、前記連結空間の下方には収集箱が置かれており、前記搾り箱の底面には支持枠が左右対称に固定的に取り付けられていることを特徴とする請求項１に記載の脱臭されて渋みの取れた茶の種子から油を抽出する設備。
【発明の詳細な説明】
【技術分野】
【０００１】
本願発明は茶油分野を取り上げて、具体的には脱臭されて渋みの取れた茶の種子から油を抽出する設備である。
【背景技術】
【０００２】
茶油とは、茶の種子から得られた油であり、栄養価値が高く、昔、生産量が少ないから、油黄金と呼ばれていた。今、茶の種子から油を抽出する過程に、茶の種子を蒸し炒めする必要があり、その後、人力で蒸し炒め装置から茶の種子を取り出して搾り装置に入れる必要がある。しかし、茶の種子を蒸し炒め装置から取り出すことにかける時間が長いから、茶の種子は取り出された間に温度が下がりすぎ、搾られた油の品質に影響することが多い。
【先行技術文献】
【特許文献】
【０００３】
【特許文献１】中国特許出願公開第１０５６２３８３３号明細書
【発明の概要】
【発明が解決しようとする課題】
【０００４】
本願発明の目的は脱臭されて渋みの取れた茶の種子から油を抽出する設備を提供し、それは上記の現在の技術中の問題を解決できる。
【課題を解決するための手段】
【０００５】
上記の課題を解決するため、本願発明は以下の技術プランを採用する：本願発明の脱臭されて渋みの取れた茶の種子から油を抽出する設備は、搾り箱を含み、前記搾り箱の中には上方に開口した入口が設けられ、前記入口の底壁には殻除去空間が連通するように設けられ、前記殻除去空間の中には茶の種子の殻を取り除ける殻除去機構が設けられ、前記殻除去空間の底壁には粉砕空間が連通するように設けられ、前記粉砕空間の中には茶の種子を粉砕できる粉砕機構が設けられ、前記粉砕空間の底壁には攪拌空間が連通するように設けられ、前記攪拌空間の中には粉砕後の茶の種子を攪拌できる攪拌機構が設けられ、前記殻除去機構の右側には動力機構が設けられ、前記動力機構が前記粉砕機構と前記攪拌機構とに動力を提供し、前記攪拌空間の左右両側には移動空間が連通するように設けられ、前記移動空間の中には加熱部品がスライドできるように取り付けられ、前記移動空間の後ろ側にはねじ山空間が連通するように設けられ、前記ねじ山空間の中にはねじ山ブロックがスライドできるように取り付けられ、左右両側の前記ねじ山ブロックのねじ山の方向は逆であり、前記ねじ山ブロックが前記加熱部品と固定的に連結され、前記攪拌空間の底壁には管路空間が連通するように設けられ、前記管路空間の底壁には矩形空間が連通するように設けられ、前記矩形空間の中には矩形板がスライドできるように取り付けられ、前記矩形板の頂面には矩形箱が固定的に取り付けられ、前記攪拌空間の底壁には連結管が固定的に取り付けられ、前記矩形箱の中には上方に開口した搾り空間が設けられ、前記矩形板と前記加熱部品との間には回転機構が設けられ、前記矩形板が押し動かされて左方へ移動する時、前記矩形板が前記回転機構によって左右両側の前記加熱部品を互いから離れさせ、前記攪拌空間の中の茶の種子が前記連結管から前記搾り空間の中に入り、前記連結管が長いので、茶の種子が前記搾り空間の中に入れるようにしている。
【０００６】
更の技術プラン、前記殻除去機構は前記殻除去空間の前後内壁の間に回転できるように取り付けられた中間ロッドを含み、前記中間ロッドには長板が固定的に取り付けられ、前記長板の中には抜き穴が設けられ、前記殻除去空間の左側内壁にはばね空間が連通するように設けられ、前記ばね空間が前記搾り箱の左側面を貫通しており、前記長板の底面と前記ばね空間の底壁との間には第一ばねが固定的に取り付けられ、前記殻除去空間の右側内壁には偏心輪空間が連通するように設けられ、前記偏心輪空間の頂壁にはスライド空間が連通するように設けられ、前記スライド空間の中にはスライドブロックがスライドできるように取り付けられ、前記スライドブロックが前記長板と当接しており、前記スライドブロックの頂面と前記スライド空間の頂壁との間には第二ばねが固定的に取り付けられ、前記搾り箱の左側面には固定箱が固定的に取り付けられている。
【０００７】
更の技術プラン、前記動力機構は前記偏心輪空間の右側に設置されたモーター空間を含み、前記モーター空間の右側内壁の中にはモーターが固定的に取り付けられ、前記モーターにおいて左向きの出力軸の左側面にはモーターロッドが固定的に取り付けられ、前記モーターロッドが左方へ延びて前記偏心輪空間の右側内壁を貫通しており、前記モーターロッドの左側面には偏心輪が固定的に取り付けられ、前記偏心輪が前記長板と当接している。
【０００８】
更の技術プラン、前記粉砕機構は前記粉砕空間の左側に設置された噛合空間を含み、前記粉砕空間の右側内壁には前記噛合空間の右側内壁を貫通した長ロッドが回転できるように取り付けられ、前記モーター空間と前記噛合空間との間には回転ロッドが回転できるように取り付けられ、前記回転ロッドと前記長ロッドとにおいて前記粉砕空間の中には粉砕輪が固定的に取り付けられ、前記粉砕輪の右側面には第一歯車が固定的に取り付けられ、前記モーターロッドにおいて前記モーター空間の中には第二歯車が固定的に取り付けられ、前記第二歯車と前記第一歯車との間にはチェーンが伝動できるように取り付けられ、前記回転ロッドと前記長ロッドにおいて前記噛合空間の中には互いに噛合した第三歯車が固定的に取り付けられている。
【０００９】
更の技術プラン、前記攪拌機構は前記噛合空間の左側に設置された歯車空間を含み、前記回転ロッドが左方へ延びて前記噛合空間の右側内壁を貫通しており、前記回転ロッドの左側面には第一傘歯車が固定的に取り付けられ、前記歯車空間と前記攪拌空間との間には細ロッドが回転できるように取り付けられ、前記細ロッドの頂面には第二傘歯車が固定的に取り付けられ、前記第二傘歯車が前記第一傘歯車と噛み合っており、前記細ロッドにおいて前記攪拌空間の中には攪拌ロッドが固定的に取り付けられている。
【００１０】
更の技術プラン、前記回転機構は前記矩形空間の後ろ側内壁に連通するように設けられた補助空間を含み、前記補助空間の上方には中間空間が設けられ、前記中間空間と前記補助空間との間には補助ロッドが回転できるように取り付けられ、前記補助ロッドの底面には第四歯車が固定的に取り付けられ、前記第四歯車が前記矩形板と噛合しており、前記補助ロッドの頂面には第三傘歯車が固定的に取り付けられ、前記ねじ山空間の左側内壁には前記中間空間の左側内壁を貫通したねじボルトが回転できるように取り付けられ、前記ねじボルトの右側面には第四傘歯車が固定的に取り付けられ、前記第三傘歯車が前記第四傘歯車と噛合している。
【００１１】
更の技術プラン、前記管路空間の頂壁の中には液圧弁が固定的に取り付けられ、前記液圧弁の底面には液圧ロッドが固定的に取り付けられ、前記液圧ロッドの底面には液圧板が固定的に取り付けられ、前記液圧板の長さが前記搾り空間の長さと同じであり、前記搾り空間の底壁には濾過網が固定的に取り付けられ、前記矩形板の中には前記搾り空間と連通している空き空間が設けられ、前記矩形空間の底壁には前記搾り空間の底面を貫通した連結空間が設けられ、前記連結空間は前記空き空間と連通でき、前記連結空間の下方には収集箱が置かれており、前記搾り箱の底面には支持枠が左右対称に固定的に取り付けられている。
【発明の効果】
【００１２】
本願発明は殻除去機構によって茶の種子の殻を取り除き、そして固定箱によって茶の種子の殻を収集し、粉砕機構で茶の種子を粉砕し、粉砕後の茶の種子を攪拌機構で加温し攪拌し、そして左右両側の加熱部品が互いから離れ、茶の種子が連結管から搾り空間の中に入り、人力で茶の種子を取り出す必要はなく、茶の種子を取り出す過程に温度が下がりすぎることを防ぎ、そして液圧板で搾り空間内の茶の種子を搾り、茶油の品質を保証し、普及価値がある。
【図面の簡単な説明】
【００１３】
下記に図１〜５をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１４】
【図１】図１は本願発明の構成略図
【図２】図２は図１のＡ―Ａ方向の断面構成略図
【図３】図３は図１のＢ―Ｂ方向の断面構成略図
【図４】図４は図１のＣ―Ｃ方向の断面構成略図
【図５】図５は図４のＤ―Ｄ方向の断面構成略図
【発明を実施するための形態】
【００１５】
図１〜５を参照し、本願発明の脱臭されて渋みの取れた茶の種子から油を抽出する設備は、搾り箱３８を含み、前記搾り箱３８の中には上方に開口した入口３６が設けられ、前記入口３６の底壁には殻除去空間３７が連通するように設けられ、前記殻除去空間３７の中には茶の種子の殻を取り除ける殻除去機構１０１が設けられ、前記殻除去空間３７の底壁には粉砕空間２８が連通するように設けられ、前記粉砕空間２８の中には茶の種子を粉砕できる粉砕機構１０２が設けられ、前記粉砕空間２８の底壁には攪拌空間４７が連通するように設けられ、前記攪拌空間４７の中には粉砕後の茶の種子を攪拌できる攪拌機構１０３が設けられ、前記殻除去機構１０１の右側には動力機構１０４が設けられ、前記動力機構１０４が前記粉砕機構１０２と前記攪拌機構１０３とに動力を提供し、前記攪拌空間４７の左右両側には移動空間４９が連通するように設けられ、前記移動空間４９の中には加熱部品５０がスライドできるように取り付けられ、前記移動空間４９の後ろ側にはねじ山空間５４が連通するように設けられ、前記ねじ山空間５４の中にはねじ山ブロック５６がスライドできるように取り付けられ、左右両側の前記ねじ山ブロック５６のねじ山の方向は逆であり、前記ねじ山ブロック５６が前記加熱部品５０と固定的に連結され、前記攪拌空間４７の底壁には管路空間１３が連通するように設けられ、前記管路空間１３の底壁には矩形空間１２が連通するように設けられ、前記矩形空間１２の中には矩形板１４がスライドできるように取り付けられ、前記矩形板１４の頂面には矩形箱１８が固定的に取り付けられ、前記攪拌空間４７の底壁には連結管２４が固定的に取り付けられ、前記矩形箱１８の中には上方に開口した搾り空間１９が設けられ、前記矩形板１４と前記加熱部品５０との間には回転機構１０５が設けられ、前記矩形板１４が押し動かされて左方へ移動する時、前記矩形板１４が前記回転機構１０５によって左右両側の前記加熱部品５０を互いから離れさせ、前記攪拌空間４７の中の茶の種子が前記連結管２４から前記搾り空間１９の中に入り、前記連結管２４が長いので、茶の種子が前記搾り空間１９の中に入れるようにしている。
【００１６】
前記殻除去機構１０１は前記殻除去空間３７の前後内壁の間に回転できるように取り付けられた中間ロッド６６を含み、前記中間ロッド６６には長板４０が固定的に取り付けられ、前記長板４０の中には抜き穴６７が設けられ、前記殻除去空間３７の左側内壁にはばね空間３９が連通するように設けられ、前記ばね空間３９が前記搾り箱３８の左側面を貫通しており、前記長板４０の底面と前記ばね空間３９の底壁との間には第一ばね４１が固定的に取り付けられ、前記殻除去空間３７の右側内壁には偏心輪空間６３が連通するように設けられ、前記偏心輪空間６３の頂壁にはスライド空間３５が連通するように設けられ、前記スライド空間３５の中にはスライドブロック３３がスライドできるように取り付けられ、前記スライドブロック３３が前記長板４０と当接しており、前記スライドブロック３３の頂面と前記スライド空間３５の頂壁との間には第二ばね３４が固定的に取り付けられ、前記搾り箱３８の左側面には固定箱４５が固定的に取り付けられ、茶の種子が前記入口３６から前記殻除去空間３７の中に入り、前記動力機構１０４が前記長板４０を振動連動させ、茶の種子の殻を茶の種子から離れさせ、茶の種子の殻が前記ばね空間３９から前記固定箱４５の中に入り、茶の種子が前記抜き穴６７から前記粉砕機構１０２の中に入り、前記スライドブロック３３は茶の種子が前記偏心輪空間６３の中に入ることを防止できる。
【００１７】
前記動力機構１０４は前記偏心輪空間６３の右側に設置されたモーター空間３１を含み、前記モーター空間３１の右側内壁の中にはモーター３０が固定的に取り付けられ、前記モーター３０において左向きの出力軸の左側面にはモーターロッド６４が固定的に取り付けられ、前記モーターロッド６４が左方へ延びて前記偏心輪空間６３の右側内壁を貫通しており、前記モーターロッド６４の左側面には偏心輪６５が固定的に取り付けられ、前記偏心輪６５が前記長板４０と当接しており、茶の種子が前記殻除去空間３７の中に入った時、前記モーター３０が作動し前記モーターロッド６４を回転連動させ、前記モーターロッド６４が前記偏心輪６５を回転連動させ、前記偏心輪６５と前記第一ばね４１とが前記長板４０を振動させる。
【００１８】
前記粉砕機構１０２は前記粉砕空間２８の左側に設置された噛合空間５１を含み、前記粉砕空間２８の右側内壁には前記噛合空間５１の右側内壁を貫通した長ロッド５３が回転できるように取り付けられ、前記モーター空間３１と前記噛合空間５１との間には回転ロッド２５が回転できるように取り付けられ、前記回転ロッド２５と前記長ロッド５３とにおいて前記粉砕空間２８の中には粉砕輪２７が固定的に取り付けられ、前記粉砕輪２７の右側面には第一歯車２６が固定的に取り付けられ、前記モーターロッド６４において前記モーター空間３１の中には第二歯車３２が固定的に取り付けられ、前記第二歯車３２と前記第一歯車２６との間にはチェーン２９が伝動できるように取り付けられ、前記回転ロッド２５と前記長ロッド５３において前記噛合空間５１の中には互いに噛合した第三歯車５２が固定的に取り付けられ、前記モーターロッド６４が回転する時、前記モーターロッド６４が前記第二歯車３２を回転連動させ、前記第二歯車３２が前記チェーン２９によって前記第一歯車２６と前記回転ロッド２５とを回転連動させ、前記回転ロッド２５が前記第三歯車５２によって前記長ロッド５３を回転連動させ、これによって前記粉砕輪２７が回転し茶の種子を粉砕することができる。
【００１９】
前記攪拌機構１０３は前記噛合空間５１の左側に設置された歯車空間４３を含み、前記回転ロッド２５が左方へ延びて前記噛合空間４３の右側内壁を貫通しており、前記回転ロッド２５の左側面には第一傘歯車４２が固定的に取り付けられ、前記歯車空間４３と前記攪拌空間４７との間には細ロッド４６が回転できるように取り付けられ、前記細ロッド４６の頂面には第二傘歯車４４が固定的に取り付けられ、前記第二傘歯車４４が前記第一傘歯車４２と噛み合っており、前記細ロッド４６において前記攪拌空間４７の中には攪拌ロッド４８が固定的に取り付けられ、前記回転ロッド２５が回転する時、前記回転ロッド２５が前記第一傘歯車４２と前記第二傘歯車４４との噛合によって前記細ロッド４６を回転連動させ、前記細ロッド４６が回転し前記攪拌ロッド４８を回転連動させ、前記加熱部品５０が茶の種子を加温し、前記攪拌ロッド４８が粉砕後の茶の種子を攪拌する。
【００２０】
前記回転機構１０５は前記矩形空間１２の後ろ側内壁に連通するように設けられた補助空間６２を含み、前記補助空間６２の上方には中間空間５８が設けられ、前記中間空間５８と前記補助空間６２との間には補助ロッド６０が回転できるように取り付けられ、前記補助ロッド６０の底面には第四歯車６１が固定的に取り付けられ、前記第四歯車６１が前記矩形板１４と噛合しており、前記補助ロッド６０の頂面には第三傘歯車５９が固定的に取り付けられ、前記ねじ山空間５４の左側内壁には前記中間空間５８の左側内壁を貫通したねじボルト５５が回転できるように取り付けられ、前記ねじボルト５５の右側面には第四傘歯車５７が固定的に取り付けられ、前記第三傘歯車５９が前記第四傘歯車５７と噛合しており、前記攪拌機構１０３が攪拌を終えた後、人力で前記矩形板１４を左方へ押し動かし、前記矩形板１４が前記第四歯車６１を回転連動させ、前記第四歯車６１が前記補助ロッド６０によって前記第三傘歯車５９を回転連動させ、前記第三傘歯車５９が前記第四傘歯車５７によって前記ねじボルト５５を回転連動させ、これによって左右両側の前記ねじ山ブロック５６が互いから離れ、左右両側の前記加熱部品５０が互いから離れる。
【００２１】
前記管路空間１３の頂壁の中には液圧弁２２が固定的に取り付けられ、前記液圧弁２２の底面には液圧ロッド２１が固定的に取り付けられ、前記液圧ロッド２１の底面には液圧板２０が固定的に取り付けられ、前記液圧板２０の長さが前記搾り空間１９の長さと同じであり、前記搾り空間１９の底壁には濾過網１７が固定的に取り付けられ、前記矩形板１４の中には前記搾り空間１９と連通している空き空間１６が設けられ、前記矩形空間１２の底壁には前記搾り空間３８の底面を貫通した連結空間２３が設けられ、前記連結空間２３は前記空き空間１６と連通でき、前記連結空間２３の下方には収集箱１５が置かれており、前記搾り箱３８の底面には支持枠１１が左右対称に固定的に取り付けられ、茶の種子が前記搾り空間１９の中に入った後、前記矩形板１４を右方へ移動させ、前記矩形箱１８を前記液圧板２０の真下に位置させ、前記空き空間１６が前記連結空間２３と連通し、前記液圧弁２２が作動することで前記液圧ロッド２１が前記液圧板２０を下方へ移動連動させ、前記液圧板２０が茶の種子を押して油を搾り、搾り出した油が前記空き空間１６と前記連結空間２３とを経由し前記収集箱１５の中に入る。
【００２２】
茶の種子から油を抽出する時、茶の種子が入口３６から殻除去空間２７の中に入り、モーター３０が作動しモーターロッド６４を回転連動させ、モーターロッド６４が偏心輪６５を回転させ、偏心輪６５と第一ばね４１とが長板４０を振動させ、茶の種子の殻を茶の種子から離れさせ、茶の種子の殻がばね空間３９から固定箱４５の中に入り、茶の種子が抜き穴６７から粉砕機構１０２の中に入り、スライドブロック３３は茶の種子が偏心輪空間６３の中に入ることを防止でき、モーターロッド６４が第二歯車３２を回転連動させ、第二歯車３２がチェーン２９によって第一歯車２６と回転ロッド２５とを回転連動させ、回転ロッド２５が第三歯車５２によって長ロッド５３を回転連動させ、これによって粉砕輪２７が回転し茶の種子を粉砕することができ、回転ロッド２５が回転する時、回転ロッド２５が第一傘歯車４２と第二傘歯車４４との噛合によって細ロッド４６を回転連動させ、細ロッド４６が回転し攪拌ロッド４８を回転連動させ、加熱部品５０が茶の種子を加温し、攪拌ロッド４８が粉砕後の茶の種子を攪拌し、攪拌機構１０３が攪拌を終えた後、人力で矩形板１４を左方へ押し動かし、矩形板１４が第四歯車６１を回転連動させ、第四歯車６１が補助ロッド６０によって第三傘歯車５９を回転連動させ、第三傘歯車５９が第四傘歯車５７によってねじボルト５５を回転連動させ、これによって左右両側のねじ山ブロック５６が互いから離れ、左右両側の加熱部品５０が互いから離れ、茶の種子が連結管２４から搾り空間１９の中に入り、茶の種子が搾り空間１９の中に入った後、矩形板１４を右方へ移動させ、矩形箱１８を液圧板２０の真下に位置させ、空き空間１６が連結空間２３と連通し、液圧弁２２が作動することで液圧ロッド２１が液圧板２０を下方へ移動連動させ、液圧板２０が茶の種子を押して油を搾り、搾り出した油が空き空間１６と連結空間２３とを経由し収集箱１５の中に入る。
【００２３】
本願発明の有益効果は：本願発明は殻除去機構によって茶の種子の殻を取り除き、そして固定箱によって茶の種子の殻を収集し、粉砕機構で茶の種子を粉砕し、粉砕後の茶の種子を攪拌機構で加温し攪拌し、そして左右両側の加熱部品が互いから離れ、茶の種子が連結管から搾り空間の中に入り、人力で茶の種子を取り出す必要はなく、茶の種子を取り出す過程に温度が下がりすぎることを防ぎ、そして液圧板で搾り空間内の茶の種子を搾り、茶油の品質を保証し、普及価値がある。
【００２４】
本分野の技術者が明確できるのは、本願発明の総体精神や発想から離脱しない場合で、以上の実施例に各種な変形ができ、それらの変形がすべて本願発明の保護範囲にある。本願発明の保護方案は本願発明の権利要求書を標準とすべきである。
【要約】
【課題】本願発明は脱臭されて渋みの取れた茶の種子から油を抽出する設備を開示した。
【解決手段】
搾り箱を含み、前記搾り箱の中には上方に開口した入口が設けられ、前記入口の底壁には殻除去空間が連通するように設けられ、前記殻除去空間の中には茶の種子の殻を取り除ける殻除去機構が設けられ、前記殻除去空間の底壁には粉砕空間が連通するように設けられ、前記粉砕空間の中には茶の種子を粉砕できる粉砕機構が設けられ、前記粉砕空間の底壁には攪拌空間が連通するように設けられ、前記攪拌空間の中には粉砕後の茶の種子を攪拌できる攪拌機構が設けられ、前記殻除去機構の右側には動力機構が設けられ、前記動力機構が前記粉砕機構と前記攪拌機構とに動力を提供し、前記攪拌空間の左右両側には移動空間が連通するように設けられ、前記移動空間の中には加熱部品がスライドできるように取り付けられている。
【選択図】図１【図１】
0006764064.tif 000002
【図２】
0006764064.tif 000003
【図３】
0006764064.tif 000004
【図４】
0006764064.tif 000005
【図５】
0006764064.tif 000006